(57)【特許請求の範囲】
【請求項１】
パイプの端面を覆う保護部と、
前記パイプに挿通された電線の外周面に密着する電線挿通孔を有して前記パイプの端部の全周に密着し、前記パイプの端部をシールする防水部と、
を備え、
前記保護部が、前記パイプの端部の内周面を覆う内周面覆い部と、外周面を覆う外周面覆い部とを備え、
前記保護部と前記電線挿通孔とが軸方向にずれて設けられ、
前記内周面覆い部から前記電線挿通孔に向かって径方向の外側に傾いている傾斜部が設けられ、
前記保護部が、前記パイプの端面と対向する覆い面から前記傾斜部にわたる厚みを有する端面覆い部を備えているパイプ取付部品。
【請求項２】
前記保護部が、径方向の外側に一段突出した形態をなしている請求項１に記載のパイプ取付部品。
【請求項３】
請求項１または請求項２に記載のパイプ取付部品が、パイプの端部に取り付けられているパイプの端部構造。
【発明の詳細な説明】
【技術分野】
【０００１】
本発明は、パイプの端部に取り付けられるパイプ取付部品およびパイプの端部構造に関する。
【背景技術】
【０００２】
従来、車両等に配索されるワイヤハーネスの電線を、パイプの内部に通して保護等することが知られている。この種のパイプの端部には、例えば下記特許文献１に記載されているように、樹脂成型品のホルダが取り付けられ、パイプの端縁に電線が接触することが防止される。これにより、パイプの端縁に電線が接触して電線被覆が損傷等することが防止される。また、この種のパイプの端部には、例えば下記特許文献２に記載されているように、グロメットが取り付けられ、パイプの内部に水が浸入することが防止される。これにより、パイプの内部に水が浸入して低温下においてパイプ内で凍結し、電線被覆を損傷等することが防止される。
【先行技術文献】
【特許文献】
【０００３】
【特許文献１】特開２０１５−３５９１５号公報
【特許文献２】特開２０１５−８０３４０号公報
【発明の概要】
【発明が解決しようとする課題】
【０００４】
しかしながら、上記のような構成では、電線を保護するための部品と、パイプを防水するための部品とが、それぞれ必要である。軽量化やコストの低減等を実現するためには、パイプの端部に取り付ける部品の点数を削減したいという要望があった。
【０００５】
本発明は上記のような事情に基づいて完成されたものであって、一部品で電線の保護およびパイプの防水を行うことが可能なパイプ取付部品およびパイプの端部構造を提供することを目的とする。
【課題を解決するための手段】
【０００６】
本発明のパイプ取付部品は、パイプの端面を覆う保護部と、前記パイプに挿通された電線の外周面に密着する電線挿通孔を有して前記パイプの端部の全周に密着し、前記パイプの端部をシールする防水部と、を備えたものである。
本発明のパイプの端部構造は、前記パイプ取付部品が、パイプの端部に取り付けられたものである。
【発明の効果】
【０００７】
本発明によれば、保護部によって電線がパイプの端縁に接触することを防ぐことができ、防水部によってパイプの内部に水が浸入することを防ぐことができるから、一部品で電線の保護およびパイプの防水を行うことができる。
【図面の簡単な説明】
【０００８】
【図１】本実施例におけるパイプ取付部品を示す断面図
【図２】パイプの端部構造を示す断面図
【発明を実施するための形態】
【０００９】
本発明の好ましい形態を以下に示す。
本発明のパイプ取付部品は、前記保護部が、前記パイプの端部の内周面を覆う内周面覆い部と、外周面を覆う外周面覆い部とを備えているものとしてもよい。このような構成によれば、保護部によって、パイプの端面のみならず外周面および内周面も覆われるから、電線がパイプの端縁に接触することをより確実に防ぐことができる。
【００１０】
また、本発明のパイプ取付部品は、前記保護部が、前記パイプの端部に嵌合可能な筒状をなし、前記保護部と前記電線挿通孔とが軸方向にずれて設けられ、前記保護部から前記電線挿通孔に向かって傾斜した傾斜部が設けられているものとしてもよい。
【００１１】
また、本発明のパイプ取付部品は、前記保護部が、径方向の外側に一段突出した形態をなしているものとしてもよい。このような構成によれば、保護部の軸方向における両端面を、パイプ取付部品とパイプまたはパイプ取付部品と電線を固定する固定部材の取付位置の目安とすることができる。
【００１２】
＜実施例＞
以下、本発明を具体化した一実施例について、図１および図２を参照しつつ詳細に説明する。
本実施例におけるパイプ取付部品１０は、金属製のパイプ３０の端部に取り付けられるものである。パイプ３０には、車両の床下等に配索されるワイヤハーネスの電線Ｗが、複数（本実施例では２本）挿通される。パイプ３０は、アルミニウムまたはアルミニウム合金製であり、断面円形状の長尺なものとされている。
【００１３】
パイプ取付部品１０は、弾性を有するゴム材によって一体に形成されている。パイプ取付部品１０は、パイプ３０の端縁に電線Ｗが接触することを防ぐ保護部１１と、パイプ３０の内部に水が浸入することを防ぐ防水部１２とを備えている。防水部１２は、パイプ３０に挿通された電線Ｗの外周面に密着する電線挿通孔１５を有し、パイプ３０の端部の全周に密着してパイプ３０の端部をシールする。
【００１４】
防水部１２は、パイプ３０の端部に外嵌してパイプ３０の外周面に全周にわたって密着可能なパイプシール部１４を有している。パイプシール部１４は、パイプ３０の外形に整合する大きさの円筒形状をなしている。パイプシール部１４の内周面には、パイプ３０の外周面に全周にわたって密着可能なリップ部１４Ａが設けられている。リップ部１４Ａは、複数（本実施例では３条）が設けられている。
【００１５】
電線挿通孔１５は、断面円形状をなし、電線Ｗの外周面に全周にわたって密着可能とされている。電線挿通孔１５の内周面には、電線Ｗの外周面に全周にわたって密着可能なリップ部１３Ａが設けられている。リップ部１３Ａは、複数（本実施例では３条）が設けられている。
【００１６】
電線挿通孔１５は、パイプ取付部品１０がパイプ３０の端部に取り付けられた状態で、パイプ３０と軸方向にずれて配される部分（以後、電線シール部１３と称する）に形成され、パイプ３０から外部に引き出された電線Ｗの外周面に密着可能とされている。電線シール部１３には、複数（本実施例では２）の電線挿通孔１５が、軸方向と交差する方向に所定の間隔をあけて並べて形成されている。
【００１７】
電線シール部１３は、全体として電線挿通孔１５の並び方向に長い扁平な形状をなしている。隣接する電線挿通孔１５の間には、隔壁部１７が形成されている。隔壁部１７の厚さ寸法（電線挿通孔１５の並び方向の寸法）は、電線シール部１３の端部（電線挿通孔１５の並び方向の端部）の厚さ寸法の２倍程度とされている。
【００１８】
各電線挿通孔１５は、パイプシール部１４と軸方向にずれて設けられ、またパイプシール部１４よりも径方向の外側にずれて設けられている。電線挿通孔１５の軸線は、パイプシール部１４の軸線と略平行をなしている。パイプ３０の内部に一括して挿通された２本の電線Ｗは、各電線挿通孔１５に分岐して外部に引き出された状態になる。各電線Ｗは、パイプ３０から斜め外側に延びて電線挿通孔１５に通される。
【００１９】
保護部１１は、パイプシール部１４と電線シール部１３との間に設けられている。保護部１１は、パイプ３０の端面３１を覆う端面覆い部１８を備えている。端面覆い部１８は、パイプ３０の端面３１を全周にわたって覆うものである。端面覆い部１８は、パイプ３０の端面３１と対向して配される覆い面１８Ａを有している。覆い面１８Ａは、パイプ取付部品１０の軸線に対して直交する面とされている。
【００２０】
保護部１１は、パイプ３０の端部の内周面を覆う内周面覆い部１９と、外周面を覆う外周面覆い部２１とを備えている。内周面覆い部１９は、パイプ３０の端部の内部に入り込み可能な筒状をなし、外周面覆い部２１は、パイプ３０の端部に外嵌可能な筒状をなしている。すなわち、保護部１１は、パイプ３０の端部に嵌合可能な二重の筒状をなしている。
【００２１】
内周面覆い部１９と外周面覆い部２１との間には、パイプシール部１４側に開口した溝部２２が形成されている。溝部２２は、全周にわたって一定の深さで連続している。溝部２２の電線シール部１３側は、端面覆い部１８によって閉じられている。
【００２２】
内周面覆い部１９および外周面覆い部２１は、径方向の寸法（厚さ寸法）が全周において一定とされている。内周面覆い部１９は、外周面覆い部２１よりも厚さ寸法が小さく（薄く）されている。
【００２３】
外周面覆い部２１は、パイプシール部１４に連続して設けられている。外周面覆い部２１は、パイプシール部１４よりも径方向の厚さ寸法が若干大きくされている。外周面覆い部２１は、パイプシール部１４から一段外側に突出している。
【００２４】
また、端面覆い部１８の軸方向の厚さ寸法、および端面覆い部１８の径方向の厚さ寸法（内周面覆い部１９および外周面覆い部２１との連結部を含む厚さ寸法）は、パイプシール部１４の径方向の厚さ寸法よりも大きくされている。このように、保護部１１の厚さ寸法は、他の部分の厚さ寸法よりも比較的大きくされているから、保護部１１の強度は十分に高くなっている。
【００２５】
パイプ取付部品１０の内周面には、保護部１１から電線挿通孔１５に向かって傾斜した傾斜部２３が設けられている。傾斜部２３は、内周面覆い部１９から電線挿通孔１５に向かって次第に径方向の外側に傾いている。傾斜部２３は、一対の電線挿通孔１５に対応して電線シール部１３の幅方向における両端部に設けられている。
【００２６】
保護部１１は、径方向の外側に一段突出した形態をなしている。保護部１１の軸方向における両端面１１Ａは、パイプ取付部品１０の軸方向と交差方向に立っている。保護部１１の電線シール部１３側の端面１１Ａは、パイプ取付部品１０の軸方向と直交している。
【００２７】
電線シール部１３の外周面には、電線Ｗから電線シール部１３にわたってテープＴが巻き付けられている。テープＴは、電線シール部１３のうち保護部１１の端面１１Ａに近い位置まで巻き付けられている。テープＴは、電線Ｗから電線シール部１３にわたって全周に巻回されている。
【００２８】
パイプシール部１４の外周面には、パイプ３０の端部にパイプ取付部品１０を固定するための固定部材Ｆが取り付けられている。固定部材Ｆは、各種の固定部材を使用することができ、例えばパイプ３０からパイプシール部１４にわたって巻き付けられたテープや、パイプシール部１４にかしめ付けられたかしめリングや、パイプシール部１４に締め付けられた結束バンド等とすることができる。固定部材Ｆは、パイプ取付部品１０のうち保護部１１の端面１１Ａよりもパイプ３０側に固定されている。固定部材Ｆによって、パイプシール部１４は、パイプ３０の端部に強く密着した状態で保持される。
【００２９】
次に、本実施例におけるパイプ取付部品１０をパイプ３０の端部に取り付ける作業の一例を説明する。
まず、パイプ取付部品１０のパイプシール部１４をパイプ３０の端部に被せて、パイプ取付部品１０をパイプ３０側に引き寄せ、パイプ３０の端部を溝部２２に嵌め入れる。すると、パイプシール部１４および保護部１１が、パイプ３０の端部に嵌合した状態になる。このとき、パイプ３０の端面３１に溝部２２の奥端面（覆い面１８Ａ）が突き当たった状態になる。
【００３０】
次いで、固定部材Ｆによってパイプシール部１４をパイプ３０の端部に固定する。パイプシール部１４のリップ部１４Ａは弾性的に潰れ、パイプ３０の外周面に密着した状態になる。
【００３１】
次に、パイプ３０に電線Ｗを挿通する。このとき、パイプ３０の端面３１が保護部１１によって覆われているから、電線Ｗは、パイプ３０の端縁に接触することなくパイプ３０内に挿通される。電線Ｗの端末部は、パイプシール部１４側からパイプ取付部品１０内に入り、傾斜部２３に案内されて保護部１１から電線挿通孔１５に挿通され、外部に引き出される。電線Ｗの外周面には、各電線挿通孔１５のリップ部１３Ａが密着した状態になる。
次いで、電線シール部１３から電線ＷにわたってテープＴを巻き付ける。
【００３２】
以上により、パイプ取付部品１０をパイプ３０の端部に取り付ける作業が完了する。このようにしてパイプ３０の端部にパイプ取付部品１０が取り付けられた状態では、保護部１１によってパイプ３０の端面３１が覆われているから、振動等により電線Ｗがパイプ３０の端縁に接触することを防ぐことができる。
【００３３】
次に、上記のように構成された実施例の作用および効果について説明する。
本実施例におけるパイプ取付部品１０は、パイプ３０の端面３１を覆う保護部１１と、パイプ３０に挿通された電線Ｗの外周面に密着する電線挿通孔１５を有してパイプ３０の端部の全周に密着し、パイプ３０の端部をシールする防水部１２と、を備えている。
【００３４】
この構成によれば、パイプ３０の端縁が鋭利なエッジとなっていたとしても、保護部１１によって電線Ｗがパイプ３０の端縁に接触することを防ぐことができるから、電線Ｗの被覆が傷付けられることを未然に回避することができる。また、防水部１２によってパイプ３０の内部に水が浸入することを防ぐことができるから、パイプ３０の内部に水が浸入して低温下においてパイプ３０内で凍結し、電線Ｗの被覆を損傷等することを防止することができる。したがって、一部品で電線Ｗの保護およびパイプ３０の防水を行うことができる。
【００３５】
また、保護部１１が、パイプ３０の端部の内周面を覆う内周面覆い部１９と、外周面を覆う外周面覆い部２１とを備えている。この構成によれば、保護部１１によって、パイプ３０の端面３１のみならず外周面および内周面も覆われるから、電線Ｗがパイプ３０の端縁に接触することをより確実に防ぐことができる。
【００３６】
また、保護部１１が、パイプ３０の端部に嵌合可能な筒状をなし、保護部１１と電線挿通孔１５とが軸方向にずれて設けられ、保護部１１から電線挿通孔１５に向かって傾斜した傾斜部２３が設けられている。この構成によれば、電線挿通孔１５に電線Ｗを挿通する作業を容易に行うことができる。
【００３７】
また、保護部１１が、径方向の外側に一段突出した形態をなしている。この構成によれば、保護部１１の軸方向における両端面１１Ａを、パイプ取付部品１０とパイプ３０またはパイプ取付部品１０と電線Ｗを固定する固定部材の取付位置の目安とすることができる。
【００３８】
＜他の実施例＞
本発明は上記記述及び図面によって説明した実施例に限定されるものではなく、例えば次のような実施例も本発明の技術的範囲に含まれる。
（１）上記実施例では、保護部１１が、パイプ３０の端部の内周面を覆う内周面覆い部１９を備えているが、これに限らず、保護部は、内周面覆い部を備えず、端面覆い部のみを備えたものであってもよい。
（２）上記実施例では、パイプ取付部品１０が２本の電線Ｗに対応した形態をなしているが、これに限らず、パイプ取付部品は１本のみ、または３本以上の電線に対応した形態（すなわち上記実施例とは電線挿通孔の数が異なる）ものとしてもよい。
（３）上記実施例では、保護部１１が、径方向の外側に一段突出した形態をなしているが、これに限らず、保護部の外周面は、パイプシール部の外周面または電線シール部の外周面と段差なく連なっていてもよい。
（４）上記実施例では、パイプ３０の端部にパイプ取付部品１０を取り付けた後に電線Ｗをパイプ３０に挿通しているが、これに限らず、パイプに電線を挿通してから、パイプの端部にパイプ取付部品を取り付けてもよい。
（５）上記実施例では、パイプ取付部品１０を金属製のパイプ３０の端部に取り付けた場合について説明したが、これに限らず、パイプ取付部品は樹脂製のパイプの端部に取り付けても良い。
（６）上記実施例では、保護部１１と電線挿通孔１５とが軸方向にずれて設けられているが、これに限らず、保護部と電線挿通孔とは軸方向にずれていなくてもよく、すなわち保護部の内周面覆い部の内側に電線挿通孔を設けても良い。
【符号の説明】
【００３９】
Ｗ…電線
１０…パイプ取付部品
１１…保護部
１２…防水部
１５…電線挿通孔
１８…端面覆い部
１９…内周面覆い部
２１…外周面覆い部
２３…傾斜部
３０…パイプ
３１…端面
【図１】
0006515820.tif 000002
【図２】
0006515820.tif 000003